(57)【要約】【課題】器具を安定して保持する装置を提供すること。【解決手段】弾性変形可能なマット部と、これに取り付けられる品目を、マットに関連する動きに対して固定するための固定要素が提供される。マット部と支持表面との間の少なくとも部分的な真空を形成することにより、使用時には、マットはマット部が横たわる支持表面を掴むように配置される。マットは、品目がマットに保持されたときに、品目をマットから遠ざけて付勢するように配置される突起を含み、これによりマット部は変形される。【選択図】図４Ａ
2008518651.tif 000002
【特許請求の範囲】
【請求項１】
弾性変形可能なマット部と、動きに対向して前記マット部に対して品目を固定するために前記マット部の上に設けられる固定要素と、を有するマットであって、
前記マットは、使用中、前記マット部と前記マット部の変形時の支持表面との間にある少なくとも部分的な真空を形成することにより、前記マット部が置かれている支持表面を掴むように配置され、
前記マットは、前記マット部において変形をおこすように前記マットによって保持されたときに、前記品目を前記マットから離すように付勢するように配置される突起を含むマット。
【請求項２】
前記突起は、リブおよび一つ以上の突起（例えば半球突起）のうちの１つを含む請求項１に記載のマット。
【請求項３】
前記固定要素は、器具の解放を容易にするための解除部を含む請求項１または請求項２記載のマット。
【請求項４】
前記固定要素は、吸引カップを含む請求項１から３いずれか記載のマット。
【請求項５】
前記解除部は、吸引カップ側縁に取り付けられる作業タブを含む請求項３に従属した場合の請求項４記載のマット。
【請求項６】
リブ部と、前記吸引カップとは、使用中に前記吸引カップ側縁が前記リブ部の範囲に規定される範囲内にある大きさである請求項２に従属した場合の請求項４または５の記載のマット。
【請求項７】
前記マット部は、前記支持表面を掴むことを促進する所定の値の摩擦または協同効率的な粘着部を有する請求項１から６いずれか記載のマット。
【請求項８】
少なくとも前記マットの側縁の一部は、厚さが減少する請求項１から７いずれか記載のマット。
【請求項９】
前記マットは、一体的に形成される請求項１から８いずれか記載のマット。
【請求項１０】
請求項１から８記載のマットと、前記固定要素に対して固定可能である食事皿と、を含む固定可能な食事皿供給装置。
【請求項１１】
前記食事皿は、閉鎖部を含み、前記閉鎖部は、食事器具を収納する蓋部を備える請求項９または１０記載の食事皿供給装置。
【請求項１２】
前記蓋部は、前記食事器具の衛生的な収納のため実質的に気密性封止部を備えるよう適合される請求項１１記載の食事皿供給装置。
【請求項１３】
前記閉鎖部は、通気孔を含む請求項１１または１２記載の食事皿供給装置。
【請求項１４】
前記閉鎖部と蓋とは一体的に形成される請求項１１から１３いずれか記載の装置。
【請求項１５】
さらに、変形可能な前記マット部に前記品目を解除可能に固定するため、解除可能な係合要素を含む請求項１から１４いずれか記載の装置。
【請求項１６】
前記品目は愛玩動物用食事供給ボウル、水入れ容器、例えばミキシングボウルのような調理器具、例えば石鹸のような洗面具および玩具の１つを含む請求項１から９いずれか記載のマット。
【請求項１７】
食事供給マット、窓日除け、玩具小物入れまたは塗料パレットの１以上を含む請求項１から９のいずれか記載のマット。
【請求項１８】
前記支持表面は水平、垂直、上下さかさまの面である請求項１から９いずれかに記載のマット。
【請求項１９】
食事供給ボウル受け基部と、留め具と、を含み、前記留め具は、前記基部の支持表面の側縁を留めるように配置される食事供給ボウル固定装置。
【請求項２０】
さらに、前記基部から食事供給ボウルを解除するための早期解除作動装置を含む請求項１９に記載の食事供給ボウル固定装置。
【請求項２１】
弾性変形可能なマット部と、動きに対向して前記マット部に対して品目を固定するために前記マット部の上に設けられる固定要素と、を有するマットであって、
前記マット部は、実質的に平坦で、変形されていない形状で連続しており、使用中に前記マット部と前記マットの変形時の支持表面の間に少なくとも部分的な真空を形成することにより、前記マット部が横たわる前記支持表面を掴むように配置されるマット。
【請求項２２】
図１から１０を参照して実質的に記載されるマット装置。
【発明の詳細な説明】
【技術分野】
【０００１】
本発明は、器具を保持するマットに関する。
【背景技術】
【０００２】
ある面上に配置される器具、プレート、トレイ、ボウル、カップまたは他の容器のような種類の器具を安定して保持するさまざまな装置が提供されている。たとえば、特許文献１は、吸入管を通して容器底部を握持するための裏返しできる飲物容器マットを示唆している。実施例では再使用可能なビール用マットが与えられ、マットはガラスの底部を握持するために下側上の爪または接着フィルムと、上側の吸込み管で固定される。この装置は、マットが表面上に固定され、ビールグラスの吸入管によって保持する動作を提供するため、使用者はグラスから飲料をこぼさずに装置からビールグラスを自由に引き出すことが困難であるという不利な点がある。さらに、マットは取り外しが容易でなく、装置が張り付いている表面を傷める可能性がある。
【０００３】
さらなる実施例が特許文献２開示されており、基部に結合されるねじりロックを有する乳幼児用器具を示唆している。基部は、テーブルに取り付けることができる吸引カップを含む。この装置の不利な点は、ねじりロック結合が、操作、洗浄が困難であるという点である。
【特許文献１】独国特許発明第１９９３３９０７号明細書
【特許文献２】国際公開第ＷＯ０１／３４００４号パンフレット
【発明の開示】
【発明が解決しようとする課題】
【０００４】
クレームされたマットを提供することにより、先行技術の不利な点が解消された。本発明は支持表面に対して器具を固定することを可能にするだけでなく、保管が容易で、少なくとも部分的に弾力変形可能であることにより、巻いて運搬してもよいように適合される。さらに、本発明の実施形態が、マットの洗浄が容易であり、マットは「拭き取り」に適した素材で製造されるか、食器洗浄機で洗浄される。本発明は特に乳幼児に食事を与えること、そして乳幼児に食事の訓練をするための特別な用途を有する。たとえば、幼児用の背の高い椅子のテーブル上に食事をさせるボウルを固定することで、両親および乳幼児ともに食事訓練のストレスを取り除く。
【課題を解決するための手段】
【０００５】
本発明は、添付の独立請求項によって規定される。本発明のいくつかの選択的な特徴は、従属項において述べられる。
【発明を実施するための最良の形態】
【０００６】
本発明の実施形態は、ここで例示としてのみ、添付の図面を参照して説明される。
【０００７】
図１を参照すると、概略的に表されたマット１０は、たとえば熱可塑性プラスチックエラストマ（ＴＰＥ）、シリコン、低から中程度の硬さ（ｓｈｏｒｅＡ２８−３０）のゴムなどのプラスチック材可撓性材料の薄い層状のマット部を含む。示されるように、マット１０は、幼児用の高い椅子のテーブルのような、支持設備上に置かれるのに適している。マット部は、本実施形態では概ね楕円形状であるが、もちろんどんな適した形状であってもよい。マットは、本実施形態ではボウル、皿、トレイ、またはマットに保持される他の器具などの品を保持するために、図示されるような吸引カップである固定要素１４を有する。吸引カップは、可撓性のストラップによって吸引カップ１４に連結される解除部１６を有し、図示される箇所１９において、吸引カップの上部辺縁上の箇所１９で吸引カップ１４と繋がる操作タブを形成する。操作装置１６は、選択的に、操作装置１６をしっかりと握ることができるように表面のギザギザを含んでよい。操作装置の操作は、以下に説明される。本発明の実施形態では、吸引カップはＴＰＥで形成され、マット全体と吸引カップは一体成型で一体的に形成されてもよい。また、マット１０と吸引カップ１４は、個別に形成され、適切な固定手段で箇所３２において繋げられてもよい。
【０００８】
マット１０はまた、本実施形態においては概ね円形か、隙間２３を規定する実質的に馬蹄形形状の開いた円状に示される、一段高くなった弾性リブまたは縁２２を有する。本実施形態においては、縁２２は成型プロセスにおいてマット１０に成型される。縁の走査は以下に説明される。縁は、適切なパターンで配置される一つ以上の半球状の突起のような、他の突起によって置き換えられてもよい。
【０００９】
本実施形態においては、マットは、例示される箇所で、使用時に食事をする幼児に近いところにわずかなくぼみを有する。くぼみがあるため、幼児は吸引カップ１４によってマットが保持する器具に容易に近づくことができ、幼児は器具の中の中身に近づくために遠くまで届く必要がなくなることが確実になる。
【００１０】
図２を参照すると、吸引カップ１４（図示せず）によってマット上に位置して保持される食事皿が示される。本発明にしたがってマット１０が食事ボウルを保持する方法が図３に示される。マット１０は、食事皿またはボウルの底部が実質的に平坦で、滑らかな底部であるために吸引カップが食事皿またはボウルの底部に係合することができる限り、ほとんど全ての形の食事皿またはボウルを保持することに適している。もちろん、食事皿またはボウルの底部は必ずしも完全に平坦または水平である必要はないことが理解される。連続的な吸入部、たとえばドーム型または湾曲した底部もまた吸引カップによって留められ、食事皿またはボウルを安全に係合することができる。
【００１１】
ここで図４Ａから４Ｃを参照すると、マット１０の操作は詳細に検討される。図４Ａは、図１のＡ−Ａ線に沿った領域を示す。マット１０は、この時点では幼児用の背の高い椅子のテーブルにある支持表面の上に横たわっており、該表面に底部を吸引して保持するように働く弛緩した状態のわずかな凹面３１を有する。この領域で示されるように、食事皿２６は吸引カップ１４によって固定され、箇所３２においてマットに結合される。弾性縁２２は突起を形成して、食事皿２５の下側に触れている。
【００１２】
マット１０はマット１０上に皿２６を保持するために矢印３４によって示される下側に向けた力をかけて操作する。弾性縁２２または半球状の突起は、食事皿２６を矢印３６の方向、テーブル１２から離れる方向に付勢する。この理由は、図示されるように図４ｂを参照して検討される。弾性縁２２は矢印３６の方向に、皿に対して作用するため、皿２６にかかる吸引カップ１４の吸入力３４に対向して作用する。図示されるように、上側に方向づけられる力３６の結果、マット１０の領域３７は、わずかに変形する。領域３７の変形は局部に限定され、表面１２からマット１０の小さな領域３７を遠ざけるように働く。これによって凹面３１は、領域３７におけるマット１０の裏面および食事テーブルに対向する領域によって規定される容積３８を形成して大きくなる。
【００１３】
マット１０は少なくとも部分的にＴＰＥ、本質的に「くっつきやすい」材料で作られているため、横に密着することなく、幼児用の背の高い椅子の食事テーブルのような実質的に滑らかな表面に、密着するか付着する。マット１０の本質的な密着性によって、皿２６は、吸引カップ１４を通して、食事テーブル１２に保持される。真空かまたは部分的に真空の小さな容積３８を形成することで、マットを表面１２に対向して保持することに役立つ。これにより、表面１２上にマット１０を保持する動作の効果が増して、特に凹面３１の吸入効果が促進する。実際には複数の凹面が下側に形成されて、同様に複数の吸入効果が提供されてもよい。代わりの方法として、表面１２への付着作用を効果的に増加させるために、マット１０の下側に、付着性、粘着性のあるものを適用してもよい。縁２２は、器具を支持表面から遠ざけるように付勢するものであれば、どのような形状または構成をとってもよく、たとえば段差や突起の連続押したものであってよい。
【００１４】
ここで図４Ｃを参照し、食事供給表面１２に関連して食事皿の動きを抑制するマット１０の操作は詳細に説明する。この図では、使用者（図示せず）は食事供給皿２６を矢印４０の方向、すなわち食事供給テーブルから遠ざかる方向へ動かそうとする。図示するように、吸引カップ１４は食事供給皿２６を保持し続け、マット１０が広い領域３７ａで変形する結果となる。また示されるように、食事供給皿は弾性縁２２からずっと離れて持ち上げられる。引く動作４０の結果、引く力は食事供給皿２６から吸引カップ１４および接続部３２を通してマット１０に伝えられてマットの広い領域３７がテーブル１２から引き離され、マット１０と表面１２との間に真空の広い容積４２をもたらす。この引く力４０の結果の効果として、マット１０の変形可能な性質によって表面１２から下側へ向く大きな矢印３４ａによって記される保持作用も増加する。これによって皿２６をテーブル１２の近くに保持することができる。幼児がマットをテーブルからこのように取り除くために必要とされる強さを有さないため、マットおよび吸引カップはこのような性質を有する。
【００１５】
図５Ａおよび図５Ｂを参照してマットをテーブルから取り除く方法が説明される。図５Ａは本発明の実施形態に係るマット１０が食事供給表面１２の上にあることを示す。既述のように、マット１０は吸引カップ１４を備え、吸引カップ１４の上縁１９に接続される可撓性ストラップ１８を通して、吸引カップ１４の側縁１９には解除取っ手１６が取り付けられる。この図では、食事供給ボウル２８は吸引カップ１４の上に、配置される準備ができた状態で、マット１０の上に上げられている。示されるように、解除取っ手１６のストラップ１８は、マット１０から垂直に離されて上げられている。ボウルが５Ｂに示すように係合位置にあると、吸引カップ１４の上にボウルを配置する力の作用は吸引カップ１４の上縁にかかり、吸引カップ１４をマット１０に対して平坦にする。このとき、可撓性ストラップ１８は、縁２２の隙間２３を通して、縁２２の内周によって規定され囲まれる領域から飛び出ている。
【００１６】
この配置では、幼児に与える食べ物および／または液体がボウル２８に満たされていてよい。幼児がボウル２８から食事を終えて、両親がボウル２８をマット１０から取り除こうと望むときは、吸引カップ１４によってボウル２８にかけられる吸入力を、解除取っ手１６を操作して、吸引カップ１４がボウル２８を保持することで形成される真空または部分的な真空を解くことが必要である。このためには、両親は解除部１６を操作し、操作装置１８の上のギザギザ２０を掴んで矢印４８の方向へ引けばよい。
【００１７】
本実施形態の吸引カップ１４もまた弾性変形可能な材料であるＴＰＥで製造されている。このため、引く力はストラップ１８を通して吸引カップ１４の上縁の箇所１９に伝えられる。これにより実質的に円形の縁を変形させて箇所１９をボウル２８との係合しているところから引く。吸引カップの形を変形させることにより、吸引カップに対するボウルの真空保持は解かれ、ボウル２８は単純に吸引カップ１４から少しまたはほとんど力をかけずに持ち上げられる。効果的に、マットは線対称で使用時に幼児と相対するくぼみ２４を備えている。操作装置とストラップは、幼児からボウルおよびマットに対向する位置に配置される。このため幼児は両親がそうしたいと望まないときに、操作装置に近づくことができない。このため、解除手段はこのため幼児から接近することができない位置に配置される。
【００１８】
図５Ａを参照すると、マットを除去し、表面１２とマット１０との間の真空の形成を打ち破るために、両親は単にマットを箇所４６で掴み、たとえば、マット上で矢印４７によって示された方向に引いて、テーブルからマットを剥がせばよい。矢印で示された方向に引くことで、表面１２とマット１０の限定された部分との間に真空は形成されず、マットに力をかけず、努力せずに表面１２から剥がし去ることができる。
【００１９】
図５Ａおよび図５Ｂに示されるように、マット１０はマット１０の縁の周りに境界線を含む。この領域４５では、マットの残りの部分よりも少ない厚さである。この目的は、幼児がマットの縁を掴むことをより難しくすることである。幼児は成人より器用でない傾向があるため、上述のような方法で表面１２からマットを取り除くことができないからである。
【００２０】
幼児に食事訓練を楽しくすることを促進し、幼児にとって訓練のストレスを取り除くために、効果的に、マットは図６に示すように領域５０に装飾を施されてもよい。マット１０は表面の装飾の範囲で、幼児および／または両親の好みに合うように都合よく提供されてよい。たとえば、幼児の好きな漫画がマット上に表されてもよい。
【００２１】
発明はまた、マット１０および一つ以上の食事皿２６または食事ボウル２８または他の器具を含む部分のキットに及んでもよい。食事皿２６または食事ボウル２８は図７Ａから図７Ｃに示されるように、閉鎖部５２を備えてよい。閉鎖部５２は、図７Ａに示すようにボウル２８の上に取り外し可能に取り付けられる。閉鎖部５２はまた図７Ｃに示される実施形態では、閉鎖部５２と一体成型され、可撓性ストラップ５６によって連結される衛生カバー５４を有する。衛生カバーは閉鎖部５２の上部表面から取り外すことができ、可撓性ストラップ５６を通じて閉鎖部５２に局部的に保持される。衛生カバー５４の下の閉鎖部５２の上部表面には、蒸気の通気手段を提供する目的で、好ましくは穴が設けられる。このためボウルの中身の食べ物が、たとえば電離レンジ（図示せず）などで熱せられたときに生じる蒸気を通気できる。
【００２２】
通気カバー５４が所定の位置に位置すると、衛生カバー５４の表面上から下に向く突起６０は、穴６２に係合して、ボウルの中身が少しもまたは全くこぼれることがないように塞ぐ。衛生カバー５４は上部外側の減りから下に下がって突出する囲い５５をさらに有する。囲い５５の目的は、衛生カバー５４の上表面と、囲い５５と、閉鎖部５２の上部表面に対向する領域とによって規定される閉じられた空間を提供することである。囲い５５の中にはスプーンまたはフォークなどの食事器具の一部を入れるための隙間６４があり、図７Ｂに示すように、スプーンまたはフォークなどの取っ手は閉鎖部５２の上側表面の領域６６によって受け止められ、たとえばパチンと留められる。衛生カバー５４によって、食事器具の食事先端部を持ち運びおよび／または収納のあいだにきれいで衛生的に維持することが可能となる。
【００２３】
代替的な本発明によるマットの実施形態が図８Ａおよび図８Ｂに示される。この実施形態でもまた、マット６８はＴＰＥで製造されるので、食事表面６９に付着できる。マット既述のように、または図８Ｂに示されるようにマット６８の下側にある個々の吸引カップ８４によっては所定の場所に保持される。使用時に、ボウル７０はマット６８のカラー（襟）７４によって囲まれる開いた凹部７２によって受けとめられる。マットの部分７３は、マット６８の薄い縁部分から凹部７２およびカラー７４に向かって盛り上がりボウル７０の保持機構のための十分な空間を提供する。このような装置の保持機構は公知のものであるため、ここでは詳細に説明しない。
【００２４】
保持のための典型的な装置は、捻りおよびロック装置である。解除手段７６もまたマットに備えられ、これにより両親がマット６８からボウル７０を解除することができる。既述のように、解除手段７６は幼児が着席したときに反対側のマットの端部に備えられるので、幼児はマット６８からボウル７０を解除するために操作手段７６に近づくことができない。図示されるように、本実施形態では、解除手段７６は押しボタンである。マット６８の下側から見ると、押しボタンの裏側が見え、図８Ｂに示されるように裏面７８において、ボウル７０を解除する操作をする。適切な解除機構のどのようなものも適合されることが理解される。たとえば、押しボタンは解除しない位置にばねで荷重されており、ボウルの特徴部に係止できる戻り止めまたは爪を有する突出アームを含んでよい。ボタンが付勢に対して押圧されると、戻り止めはボウルの特徴部を解除して、ボウルが解除できるようにする。
【００２５】
本発明のさらなる実施形態が図９Ａから図９Ｃに示される。この実施形態は図８とマット８６が図示されるように実質的に平坦である点で異なる。マットはボウル８８の挿入および保持をするためのくぼみ９０を有し、くぼみはカラー９２によって盛り上がった部分で規定される。図９Ｂを参照すると、本実施形態の反対の位置から見た図が解除ボタン９４とともに示される。図９Ｃを参照すると、操作機構は次の方法で作用する。図８を参照して説明したものと同じ方法で、解除ボタンは係合位置にばねで荷重され、ボタンを押すとボウルを解除するようにボウルの下側の特徴部に係合する戻り止めを含む。
【００２６】
図１０Ａから図１０Ｄを参照して、本発明のさらなる実施形態がここで説明される。本発明のこの面では、支持表面上に配置し、器具を保持するための基部が備えられる。該基部は、さらに基部を支持表面に固締めするためのクランプを含む。本発明の実施形態においては、クランプはＧ−クランプである。本発明の一つの実施形態においては、クランプはばねで荷重されるラチェット（歯止め）機構を有し、ひとつ以上のクランプ顎部を支持表面に対して適合する。歯止め機構はクランプ顎部または顎部を正しい位置に保持する保持手段をさらに備える。
【００２７】
図１０Ａはクランプを含む基部を示し、概して符号１００で参照される。基部は表面上に安定して置けるように、裏側が実質的に平坦である。クランプ１００は、基部から水平に延びる部分を含み、使用時には支持表面１０２のリップ１０４を水平部分１００が覆う。水平に延びる部分の端部には、歯止め機構を収容する下方に下がる部分がある。この下方に下がる部分１０６からは、クランプ顎部１０８がさらに下方に延び、水平に延びる部分とともに基部の方へ戻って支持表面１０２の下方に下がるリップ１０４を掴む。そして、ばね荷重機構によって付勢されて基部を保持する。
【００２８】
図１０Ｂに示すように、基部９６もまた、この場合操作ボタンである解除部１１２を有する。図１０Ｃを参照すると、ボタンはボウル９８を受け止めるための凹部１１４の基部１１６に据付けられる内部操作作動装置１１８を有しすることが見て取れる。ボタンは、図８または図９の解除ボタンと同様の方法で操作される。
【００２９】
図１０Ｄを参照すると、ボウル９８は、もともと下方に突出する裾１２０を有し、外側に突出する環状リップ１２４とともに作動装置１１８の下に内部で係合する。この位置のとき、ボウルは保持手段１２２によって所定の位置に保持される。操作ボタン１１２が押圧されると、作動装置を引き出すように作動し、これにより使用者がボウル９８を保持手段１２２から解除できる。
【００３０】
本発明は例示としてのみ説明されたものと理解される。たとえば、発明は幼児または成人、老人、または障害をもつ人のどの使用者にとっても適切な器具と適切な支持表面に関連する。さらに、マットはどのような適切な形状を有してよく、適切な材料で形成され、適切な種類の固定要素が使用される。
【００３１】
たとえばマットはペットに食事を与えたたり、たとえば自動車または飛行機内での食事供給マットとして旅行用に滑り止め食事供給マットとして使用されてよい、実際マットは、車内での食事供給と、車の窓の日除けまたは窓に対して配置されておもちゃや他のものを上述した方法で付着させるおもちゃ入れと、二重に使用することができる。さらなる道具として、マットは絵の具が混合された絵描き用パレットを含むことができ、保持される器具は水洗カップホルダーを含むことができる。さらにマットは入浴時にも適用され、たとえば壁に付着して石鹸や他の洗面具を保持するか、またはおもちゃを保持する入浴マットとして使用できる。さらに発明は、たとえば調理台に混合用ボウルを保持する調理器具に関連して使用することができる。概して、マットは水平に、垂直にまたは裏返しの表面またはどのような傾斜した表面にも付着することができる。
【００３２】
本発明のある面の特徴は、他の発明の面に適用できることが理解される。
【図面の簡単な説明】
【００３３】
【図１】本発明の実施形態によるマットを例示する斜視図である。
【図２】本発明の実施形態による食事供給皿を保持するマットを例示する斜視図である。
【図３】本発明の実施形態による食事供給ボウルを保持するマットを例示する斜視図である。
【図４Ａ】本発明の実施形態による支持表面上のマットの把持動作を説明する部分的な領域の側面図である。
【図４Ｂ】本発明の実施形態による支持表面上のマットの把持動作を説明する部分的な領域の側面図である。
【図４Ｃ】本発明の実施形態による支持表面上のマットの把持動作を説明する部分的な領域の側面図である。
【図５Ａ】本発明の実施形態による器具を把持する前のマットの動作を説明する斜視図である。
【図５Ｂ】本発明の実施形態による器具を把持した後のマットの動作を説明する斜視図である。
【図６】本発明の実施形態によるマットの平面図である。
【図７Ａ】本発明の実施形態による閉鎖を説明する斜視図である。
【図７Ｂ】本発明の実施形態による閉鎖を説明する斜視図である。
【図７Ｃ】本発明の実施形態による閉鎖を説明する斜視図である。
【図８Ａ】本発明の実施形態によるマットおよびボウルのアセンブリを説明する斜視図である。
【図８Ｂ】発明の実施形態によるマットおよびボウルのアセンブリを説明する斜視図である。
【図９Ａ】本発明のさらなる選択的な実施形態を説明する斜視図である。
【図９Ｂ】本発明のさらなる選択的な実施形態を説明する斜視図である。
【図９Ｃ】本発明のさらなる選択的な実施形態を説明する斜視図である。
【図１０Ａ】本発明の別のさらなる選択的な実施形態を説明する斜視図である。
【図１０Ｂ】本発明の別のさらなる選択的な実施形態を説明する斜視図である。
【図１０Ｃ】本発明の別のさらなる選択的な実施形態を説明する斜視図である。
【図１０Ｄ】本発明の別のさらなる選択的な実施形態を説明する斜視図である。
【図１】
2008518651.tif 000003
【図２】
2008518651.tif 000004
【図３】
2008518651.tif 000005
【図４Ａ】
2008518651.tif 000006
【図４Ｂ】
2008518651.tif 000007
【図４Ｃ】
2008518651.tif 000008
【図５Ａ】
2008518651.tif 000009
【図５Ｂ】
2008518651.tif 000010
【図６】
2008518651.tif 000011
【図７Ａ】
2008518651.tif 000012
【図７Ｂ】
2008518651.tif 000013
【図７Ｃ】
2008518651.tif 000014
【図８Ａ】
2008518651.tif 000015
【図８Ｂ】
2008518651.tif 000016
【図９Ａ】
2008518651.tif 000017
【図９Ｂ】
2008518651.tif 000018
【図９Ｃ】
2008518651.tif 000019
【図１０Ａ】
2008518651.tif 000020
【図１０Ｂ】
2008518651.tif 000021
【図１０Ｃ】
2008518651.tif 000022
【図１０Ｄ】
2008518651.tif 000023
【国際調査報告】
2008518651.tif 000024
2008518651.tif 000025
2008518651.tif 000026
2008518651.tif 000027